(57)【要約】      （修正有）【課題】簡単に密封でき、事前の作業を必要とせず、効果的に漏水を防止できるウォータータンクアセンブリおよび加湿器を提供する。【解決手段】ウォータータンクアセンブリは、給水素子１、給水素子と連通する加湿管３、第１接続管４、ウォータータンクの蓋５およびウォータータンク６を含む。第１接続管の一端は加湿管と接続し、もう一端はウォータータンクの蓋に取外し可能に接続され、ウォータータンクの蓋と連通する。ウォータータンクの蓋はウォータータンクに取外し可能に接続され、ウォータータンクと連通する。加湿管とウォータータンクの蓋との間に第１接続管を設置し、さらにウォータータンクの蓋およびウォータータンクをねじ接続することにより、ウォータータンクの密封を実現する。【選択図】図１
0003199565.tif 000002
【実用新案登録請求の範囲】
【請求項１】
給水素子、前記給水素子と連通する加湿管、第１接続管、ウォータータンクの蓋およびウォータータンクを含み、
前記第１接続管の一端が前記加湿管と接続し、もう一端が前記ウォータータンクの蓋に取外し可能に接続され、前記ウォータータンクと連通し、さらに前記ウォータータンクの蓋が前記ウォータータンクに取外し可能に接続され、前記ウォータータンクと連通することを特徴とする、ウォータータンクアセンブリ。
【請求項２】
前記第１接続管が相互に垂直である第１部分および第２部分を含み、前記第１部分は前記加湿管に接続され、前記第２部分は前記ウォータータンクの蓋に接続され、
前記第２部分の外壁が周方向に外側に拡大して突縁を形成し、前記突縁と前記第１部分の外壁との間に位置制限溝を形成し、前記ウォータータンクの蓋の前記第２部分に近い一端に位置制限プレートを設置し、前記位置制限プレートに位置制限孔を設け、前記ウォータータンクの蓋の前記第２部分の一端に近い内壁に、さらにクランプ溝を形成し、
前記第２部分を前記位置制限孔に通すと、前記突縁は前記クランプ溝内に締め付けられ、前記位置制限プレートは前記位置制限溝内に係止されることを特徴とする、請求項１に記載のウォータータンクアセンブリ。
【請求項３】
前記第１接続管が相互に垂直である第１部分および第２部分を含み、前記第１部分が前記加湿管に接続され、前記第２部分が前記ウォータータンクの蓋に接続され、
前記第２部分の外壁に第１雄ねじを形成し、前記ウォータータンクの蓋の内壁に前記第１雄ねじと適合する第１雌ねじを形成することを特徴とする、請求項１に記載のウォータータンクアセンブリ。
【請求項４】
前記第１部分における縦方向の中間の内壁が、内側に突出して第１突出部を形成し、前記加湿管が前記第１部分と締り嵌めされ、前記加湿管の底面が前記第１突出部の上面に当接することを特徴とする、請求項２または３に記載のウォータータンクアセンブリ。
【請求項５】
前記ウォータータンクの蓋の内壁にさらに第２雌ねじを形成し、前記ウォータータンクが中空の取水部を含み、前記取水部の外壁に前記第２雌ねじと適合する第２雄ねじを形成することを特徴とする、請求項２または３に記載のウォータータンクアセンブリ。
【請求項６】
前記ウォータータンクの蓋の内壁に挿入溝を形成し、前記ウォータータンクが中空の取水部を含み、前記取水部の外壁に前記挿入溝と適合する挿着部を形成することを特徴とする、請求項１に記載のウォータータンクアセンブリ。
【請求項７】
前記給水素子が箱状または碗状であり、前記給水素子の底部に出水管を形成し、前記ウォーターアセンブリがさらに第２接続管を含み、前記第２接続管の両端が、それぞれ前記出水管および前記加湿管と接続することを特徴とする、請求項１に記載のウォータータンクアセンブリ。
【請求項８】
前記第２接続管における縦方向の中間の内壁が、内側に突出して第２突出部を形成し、前記第２接続管と前記出水管および前記加湿管とはそれぞれ締り嵌めされ、前記出水管の底面は前記第２突出部の上面に当接し、前記加湿器の上面は前記第２突出部の底面に当接することを特徴とする、請求項７に記載のウォータータンクアセンブリ。
【請求項９】
前記第１接続管および前記第２接続管がシリコーンチューブであることを特徴とする、請求項７に記載のウォータータンクアセンブリ。
【請求項１０】
請求項１〜９に記載のウォータータンクアセンブリを含むことを特徴とする、加湿器。
【考案の詳細な説明】
【技術分野】
【０００１】
本考案は家庭用電気製品の技術分野に関し、より具体的には、ウォータータンクアセンブリおよびこのウォータータンクアセンブリを含む加湿器に関する。
【背景技術】
【０００２】
加湿器は一定空間内の空気の湿度を高めることができ、発売以来、消費者の好評を得ており、現在はすでに一般の家庭でも見られるようになった。特に、寒く、乾燥した北部において、加湿器は各部屋に必須の生活用家電にほぼなっている。既存の技術において、加湿器のウォータータンクアセンブリの多くは、シリコンシーラントを用いる方式により密封を実現している。この方式は事前の作業が必要であり、なおかつ漏水が起こりやすい。
【考案の概要】
【考案が解決しようとする課題】
【０００３】
本考案が解決しようとする技術的問題は、既存技術における上記の問題に対して、簡単な方式で密封を実現することができ、事前の作業を必要とせず、効果的に漏水を防止することができるウォータータンクアセンブリおよびこのウォータータンクアセンブリを含む加湿器を示すことである。
【０００４】
本考案がその技術的問題を解決するのに採用した技術案は次の通りである。給水素子、前記給水素子と連通する加湿管、第１接続管、ウォータータンクの蓋およびウォータータンクを含む、ウォータータンクアセンブリを提供する。
【０００５】
前記第１接続管の一端は前記加湿管と接続し、もう一端は前記ウォータータンクの蓋に取外し可能に接続され、前記ウォータータンクの蓋と連通する。さらに前記ウォータータンクの蓋は前記ウォータータンクに取外し可能に接続され、前記ウォータータンクと連通する。
【０００６】
一実施例において、前記第１接続管は相互に垂直である第１部分および第２部分を含み、前記第１部分は前記加湿管に接続され、前記第２部分は前記ウォータータンクの蓋に接続される。
【０００７】
前記第２部分の外壁が周方向に外側に拡大して突縁を形成し、前記突縁と前記第１部分の外壁との間に位置制限溝を形成する。前記ウォータータンクの蓋の前記第２部分に近い一端に、位置制限プレートを設置し、前記位置制限プレートに位置制限孔を設ける。前記ウォータータンクの蓋の前記第２部分の一端に近い内壁に、さらにクランプ溝を形成する。
【０００８】
前記第２部分を前記位置制限孔に通すと、前記突縁は前記クランプ溝内に締め付けられ、前記位置制限プレートは前記位置制限溝内に係止される。
【０００９】
別の実施例において、前記第１接続管は相互に垂直である第１部分および第２部分を含む。前記第１部分は前記加湿管に接続され、前記第２部分は前記ウォータータンクの蓋に接続される。
【００１０】
前記第２部分の外壁に第１雄ねじを形成し、前記ウォータータンクの蓋の内壁に前記第１雄ねじと適合する第１雌ねじを形成する。
【００１１】
一実施例において、前記第１部分における縦方向の中間の内壁が、内側に突出して第１突出部を形成する。前記加湿管は前記第１部分と締り嵌めされ、前記加湿管の底面は前記第１突出部の上面に当接する。
【００１２】
一実施例において、前記ウォータータンクの蓋の内壁に、さらに第２雌ねじを形成する。前記ウォータータンクは中空の取水部を含み、前記取水部の外壁に前記第２雌ねじと適合する第２雄ねじを形成する。
【００１３】
別の実施例において、前記ウォータータンクの蓋の内壁に挿入溝を形成する。前記ウォータータンクは中空の取水部を含み、前記取水部の外壁に前記挿入溝と適合する挿着部を形成する。
【００１４】
一実施例において、前記給水素子は箱状または碗状であり、前記給水素子の底部に出水管を形成する。前記ウォータータンクアセンブリはさらに第２接続管を含み、前記第２接続管の両端は、それぞれ前記出水管および前記加湿管と接続する。
【００１５】
一実施例において、前記第２接続管における縦方向の中間の内壁が、内側に突出して第２突出部を形成する。前記第２接続管と、前記出水管および前記加湿管とは、それぞれ締り嵌めされる。前記出水管の底面は前記第２突出部の上面に当接し、前記加湿管の上面は前記第２突出部の底面に当接する。
【００１６】
好ましくは、前記第１接続管および前記第２接続管はシリコーンチューブである。
【００１７】
技術的問題を解決するため、本考案はさらに上記ウォータータンクアセンブリを含む加湿器を提供する。
【考案の効果】
【００１８】
本考案のウォータータンクアセンブリおよび加湿器の実施により、以下の有益な効果を有する。加湿管とウォータータンクの蓋との間に第１接続管を設置し、さらにウォータータンクの蓋およびウォータータンクをねじ接続するように設置することにより、ウォータータンクの密封、さらに漏水しないことを実現することができる。密封操作は簡単で、事前の作業が必要なく、さらに信頼性が高い。
【図面の簡単な説明】
【００１９】
以下に、添付図および実施例を組み合わせて、本考案についてさらなる説明を行う。
【００２０】
【図１】図１は、本考案の実施例におけるウォータータンクアセンブリの分解図である。
【図２】図２は、図１におけるウォータータンクアセンブリ構造の断面図である。
【図３】図３は、図２の部分分解断面図である。
【考案を実施するための形態】
【００２１】
本考案の目的、技術案および利点をより明確に理解できるようにするため、以下に添付図および実施例を組み合わせて、本考案についてさらに詳細な説明を行う。ここで記載する具体的な実施例は、本考案の説明に用いたに過ぎず、本考案を限定するものではないことを理解すべきである。
【実施例】
【００２２】
図１〜２に、本考案の実施例におけるウォータータンクアセンブリを示す。図１に示すように、当該ウォータータンクアセンブリは、給水素子１、加湿管３、第１接続管４、ウォータータンクの蓋５、およびウォータータンク６を含む。当該給水素子１は、第２接続管２を通して加湿管３と連通する。第１接続管４の一端は加湿管３と連通し、もう一端はウォータータンクの蓋５に取外し可能に接続され、当該ウォータータンクの蓋５と連通する。ウォータータンクの蓋５はウォータータンク６に取外し可能に接続され、当該ウォータータンク６と連通する。
【００２３】
具体的に図１〜２に示すように、当該給水素子１はおおよそ箱状または碗状を呈し、当該給水素子１を通して、ウォータータンクアセンブリ全体に水源が提供される。当該給水素子１は、例えばボルト、ナットなどの接続方式により、ウォータータンク６に取外し可能に固定することができる。図１および図２に示す実施例において、ウォータータンク６に定位孔６４を設置し、給水素子１の外側から追加のボルトまたは取付具（図示せず）を延伸させ、定位孔６４に通した後、ナット（図示せず）により固定することができる。給水素子１の上面に２つの切欠き１１を設け、給水素子１の上側にさらに給水蓋（図示せず）を設け、給水蓋は当該切欠き１１と適合する係合部（図示せず）を延伸する。取り付けるとき、当該係合部を切欠き１１内に係止させて、給水蓋を給水素子１に固定する。
【００２４】
さらに図１〜２に示すように、給水素子１の底部に出水口（図示せず）を設け、出水口はさらに出水管１２を延伸する。それにより、出水口から当該給水素子１の水を流出させ、出水管１２を通して、第２接続管２および加湿管３内に誘導、流入させることができる。
【００２５】
図１〜２に示すように、当該第２接続管２の両端は、それぞれ出水管１２および加湿管３と接続し、出水管１２および加湿管３を連通させると共に、出水管１２および加湿管３の位置を制限する。この他、給水素子１から流出した水を加湿管３内に引き入れることもできる。具体的に、図２に示す実施例において、当該第２接続管２における縦方向の中間部分の内壁が、内側に突出して第２突出部２１が形成される。第２接続管２の両端の内径は、それぞれ出水管１２の外径および加湿管３の外径に適合する。接続するとき、第２接続管２と、出水管１２および加湿管３とは、それぞれ締り嵌めされ、出水管１２の底面は第２突出部２１の上面に当接し、加湿管３の上面は、第２突出部２１の底面に当接する。好ましくは、当該第２接続管２は可撓性材料で製造し、好ましくはシリコーンで製造する。したがって、上記第２突出部２１は、出水管１２および加湿管３を第２接続管２内の特定位置部分に制限することができると共に、緩衝の作用を発揮する。
【００２６】
加湿管３は、加湿管３内に収容した水を加熱、蒸発させて水蒸気にし、水蒸気の拡散により加湿機能を実現する。加湿管３は、好ましくは熱伝導性金属で製造する。熱せられると、熱量を加湿管３内の水に伝達することができ、水を蒸発させて水蒸気にする。本実施例において、当該加湿管３は好ましくは銅管である。
【００２７】
さらに図１〜２に示すように、第１接続管４は加湿管３とウォータータンクの蓋５との間に接続される。当該第１接続管４はＬ字形を呈し、相互に垂直である第１部分４１および第２部分４２を含む。当該第１部分４１および第２部分４２は、アーク状に変化する。第１部分４１は加湿管３に接続され、前記第２部分４２はウォータータンクの蓋５に接続される。
【００２８】
具体的に、第１部分４１における縦方向の中間部分の内壁が内側に突出して第１突出部４３を形成する。第１部分４１の上端の内径は、加湿管３の外径と適合する。したがって、接続するとき、第１部分４１は加湿管３と締り嵌めされ、加湿管３の底面は当該第１突出部４３の上面に当接することができる。好ましくは、当該第１接続管４は可撓性材料で製造し、好ましくはシリコーンで製造する。したがって、上記第１突出部４３は、加湿管３を第１接続管４内の特定位置部分に制限することができると共に、緩衝の作用を発揮する。
【００２９】
具体的に図３を参照されたい。本考案の実施例によれば、当該第１接続管４の第２部分４２の外壁に、その周方向に外側に拡大して突縁４４が形成され、当該突縁４４により、第１接続管４をウォータータンクの蓋５に固定する。好ましくは、当該突縁４４と第１部分４１の外壁との間に、さらに位置制限溝４５が形成され、ウォータータンクの蓋５にさらに固定される。
【００３０】
具体的に図１〜２を参照されたい。ウォータータンクの蓋５は両端が開口した中空構造であり、第１接続管４およびウォータータンク６を連通させる。ウォータータンクの蓋５の該第２部分４２に近い一端に、位置制限プレート５１を設置する。当該位置制限プレート５１に位置制限孔５２を設ける。本実施例において、好ましくは、当該位置制限プレート５１の厚さは、位置制限溝４５の幅と適合する。位置制限孔５２の内径は、第２部分４２の外径と適合する。この他、ウォータータンクの蓋５の当該第２部分４２の一端に近い内壁に、上記突縁４４を締め付けるクランプ溝５３を形成する。当該クランプ溝５３および突縁４４の形状および大きさは適合する。したがって、取り付けるとき、第１接続管４の第２部分４２は、当該位置制限孔５２に通すことができ、突縁４４はクランプ溝５３内に締め付けられ、それと同時に、ウォータータンクの蓋５の位置制限プレート５１は、第１接続管４の位置制限溝４５に係止される。この方式により、第１接続管４を効果的にウォータータンクの蓋５に固定することができる。
【００３１】
当然、本考案に基づくその他の実施例において、第１接続管４の第２部分４２の外壁に第１雄ねじ（図示せず）を形成し、ウォータータンクの蓋５の第２接続管に近い一端の内壁に、当該第１雄ねじと適合する雌ねじ（図示せず）を形成することもできる。これによって、ねじ接続の方式により、第１接続管４およびウォータータンクの蓋５を取外し可能に接続することができる。
【００３２】
さらに図１〜２を参照されたい。ウォータータンク６はウォータータンクの蓋５と連通して、給水素子１が提供する水を貯蔵する。具体的に、図１〜２に示す実施例において、当該ウォータータンクの蓋５のウォータータンク６に近い一端の内壁に、さらに第２雌ねじ５４を形成する。ウォータータンク６に中空構造の取水部６１を延伸形成し、取水部６１の外壁に、ウォータータンクの蓋５の第２雌ねじ５４と適合する第２雄ねじ６２を形成する。図１〜３に示す実施例において、取り付けるとき、取水部６１は第２雄ねじ６２によりウォータータンクの蓋５の第２雌ねじ５４内にねじ接続され、取水部６１の端面（付番せず）が、ウォータータンクの蓋５に固定される第１接続管４の突縁４４に当接して、取水部６１の位置が制限されると共に、ウォータータンクの蓋５およびウォータータンク６の連通を実現する。
【００３３】
当然、本考案に基づくその他の実施例においては、ウォータータンクの蓋５のウォータータンク６の一端に近い内壁に挿入溝（図示せず）を形成し、ウォータータンク６の取水部６１の外壁に、当該挿入溝と適合する挿着部を形成することもできる。取り付けるとき、挿着部を当該挿入溝内に挿着させて、ウォータータンクの蓋５をウォータータンク６に取外し可能に接続することができる。
【００３４】
ウォータータンク６の一側面にさらに定位プレート６３を形成し、当該定位プレート６３に定位孔６４を対応して設けることにより、ウォータータンク６および給水素子１を固定接続する。図１に示す実施例において、当該ウォータータンク６の縦方向の両側にそれぞれ定位プレート６３を形成して、ウォータータンク６および予め設けた素子を固定する。この他、ウォータータンク６にさらに排水口６５を形成し、当該排水口６５を通してウォータータンク６内の水を排出する。
【００３５】
好ましくは、ウォータータンク６の高さは、出水管１２、第２接続管２、加湿管３、および第１接続管４の第１部分４１を合わせた高さと等しく、そのため、使用するとき、ウォータータンク６内の液面の高さと、ウォータータンク６以外の連通管内の液面の高さとが等しいことを保証することができる。
【００３６】
以下に図１〜３を組み合わせて、本考案のウォータータンクアセンブリの動作原理を簡単に説明する。
【００３７】
最初に、加湿管３の加熱を停止すると共に、給水素子１により給水して、水を第２接続管２、加湿管３、第１接続管４およびウォータータンクの蓋５に順番に通流させて、ウォータータンク６内に入れ、当該ウォータータンク６内に貯蔵する。このとき、ウォータータンク６は、ウォータータンクの蓋５を通して第２接続管２、加湿管３および第１接続管４と連通するため、ウォータータンク６の液面はその他の連通管の液面と等しい。給水過程において、好ましくは、水は液面が加湿管３内に来るまで供給する。
【００３８】
加湿管３の加熱を起動すると、加湿管３はその内側の水を加熱し、水を蒸発させて水蒸気にする。重力の作用により、水蒸気は第２接続管２および給水素子１に沿って外部環境または加湿器に拡散され、それにより、外部環境または加湿器の加湿を実現する。
【００３９】
加湿終了後、ウォータータンク６内の水を排出する必要があるとき、ウォータータンク６を逆さまにして、排水口６５から余分な水を排出することができる。
【００４０】
技術的問題を解決するため、本考案はさらに加湿器を提供する。当該加湿器は前述したウォータータンクアセンブリを含み、簡単な方式により、ウォータータンクアセンブリの密封および漏水の防止を実現する。
【００４１】
したがって、本考案のウォータータンクアセンブリおよびその加湿器は、加湿管とウォータータンクの蓋との間に第１接続管を設置し、ウォータータンクの蓋およびウォータータンクをねじ接続するように設置することにより、ウォータータンクの密封、さらに漏水しないことを実現することができる。密封操作は簡単で、事前の作業は必要なく、さらに信頼性が高い。
【００４２】
以上の記載は、本考案の好ましい実施例に過ぎず、本考案を制限するものではない。本考案の主旨および原則内で行われるいかなる修正、同等の置換および改善などは、いずれも本考案の保護範囲内に包含されるべきである。
【図１】
0003199565.tif 000003
【図２】
0003199565.tif 000004
【図３】
0003199565.tif 000005
【手続補正書】
【提出日】平成27年6月25日(2015.6.25)
【手続補正１】
【補正対象書類名】実用新案登録請求の範囲
【補正対象項目名】請求項８
【補正方法】変更
【補正の内容】
【請求項８】
前記第２接続管における縦方向の中間の内壁が、内側に突出して第２突出部を形成し、前記第２接続管と前記出水管および前記加湿管とはそれぞれ締り嵌めされ、前記出水管の底面は前記第２突出部の上面に当接し、前記加湿管の上面は前記第２突出部の底面に当接することを特徴とする、請求項７に記載のウォータータンクアセンブリ。
【手続補正２】
【補正対象書類名】実用新案登録請求の範囲
【補正対象項目名】請求項１０
【補正方法】変更
【補正の内容】
【請求項１０】
請求項１〜９のいずれか１項に記載のウォータータンクアセンブリを含むことを特徴とする、加湿器。